(57)【要約】  本発明の成形面ファスナー(10,70,80)は、係合素子(12)が立設された係合領域(21)と、係合素子(12)が排除されたスペース領域(22)とを長さ方向に交互に有し、スペース領域(22)は、基板部(11)に立設される左右一対の縦壁部(13b,83b) と、基板部(11)の幅方向の中央部に突出する凸条部(16)とを有し、凸条部(16)は、係合領域(21)に幅方向に沿って配される主横壁部(14)に連結一体化されている。このような成形面ファスナー(10,70,80)であれば、簡単な切断加工が施されることにより、幅方向に湾曲させるカーブ状の使用形態に容易に対応することが可能となる。
2016002044.tif 000002
【特許請求の範囲】
【請求項１】
薄板状の基板部(11)の第１面に複数のフック状係合素子(12)が立設された係合領域(21)と、前記基板部(11)に前記係合素子(12)が排除された平坦面を備えるスペース領域(22)とを長さ方向に交互に有し、前記係合領域(21)は、前記基板部(11)の左右側縁部に長さ方向に沿って立設される左右一対の樹脂侵入防止壁部(13a) と、前記係合領域(21)の前端縁部及び後端縁部に前記スペース領域(22)と区画するように幅方向に沿って立設される主横壁部(14)とを備え、クッション体の発泡成形時に前記クッション体の表面に一体化させる熱可塑性樹脂製の成形面ファスナー(10,70,80)において、
前記スペース領域(22)は、前記基板部(11)の左右側縁部に長さ方向に沿って立設される左右一対の縦壁部(13b,83b) と、前記基板部(11)の幅方向の中央部に長さ方向に沿って前記基板部(11)から一体に突出する凸条部(16)とを有し、
前記凸条部(16)は、前記スペース領域(22)の長さ方向に隣接する前記主横壁部(14)に連結一体化されてなる、
ことを特徴とする成形面ファスナー。
【請求項２】
前記基板部(11)、前記樹脂侵入防止壁部(13a) 、前記主横壁部(14)、前記縦壁部(13b,83b) 、及び前記凸条部(16)は、同一の熱可塑性樹脂を用いて構成されてなる請求項１記載の成形面ファスナー。
【請求項３】
前記係合領域(21)の前記樹脂侵入防止壁部(13a) と、前記スペース領域(22)の前記縦壁部(13b,83b) とが、前記基板部(11)の全体に長さ方向に沿って連続して立設される一連の連続壁部(13)として形成されてなる請求項１又は２記載の成形面ファスナー。
【請求項４】
前記係合領域(21)は、前端縁部側の前記主横壁部(14)と後端縁部側の前記主横壁部(14)との中間位置に幅方向に沿って配される予備横壁部(71)を有してなる請求項１〜３のいずれかに記載の成形面ファスナー。
【請求項５】
請求項１〜４のいずれかに記載の前記成形面ファスナー(10,70,80)を一次製品とし、前記一次製品の成形面ファスナー(10,70,80)に、前記スペース領域(22)を少なくとも前記凸条部(16)が残るように切去する切断加工が施され、前記切断加工により形成される前後の切断端部(33)と複数の前記係合素子(12)とを有する複数の面ファスナー部材(31)が、前記凸条部(16)を含む可撓性を備える連結部(32)により長さ方向に連結されて、幅方向に湾曲可能に形成されてなることを特徴とする成形面ファスナー。
【請求項６】
基板部(11)の第１面に複数のフック状係合素子(12)が立設された複数の面ファスナー部材(31)が、可撓性を備える連結部(32)により長さ方向に連結され、クッション体の発泡成形時に前記クッション体の表面に幅方向に湾曲させた状態で一体化させることが可能な成形面ファスナーの製造方法であって、
前記基板部(11)は、前記基板部(11)に複数の前記係合素子(12)が立設された係合領域(21)と、前記基板部(11)に前記係合素子(12)が排除された平坦面を備えるスペース領域(22)とを長さ方向に交互に有し、前記係合領域(21)は、前記基板部(11)の左右側縁部に長さ方向に沿って立設される左右一対の樹脂侵入防止壁部(13a) と、前記係合領域(21)の長さ方向の両端縁部に前記スペース領域(22)と区画するように左右の前記樹脂侵入防止壁部(13a) 間に亘って幅方向に沿って立設される主横壁部(14)とを有し、前記スペース領域(22)は、前記基板部(11)の左右側縁部に長さ方向に沿って立設される左右一対の縦壁部(13b,83b) と、前記基板部(11)の幅方向の中央部に長さ方向に沿って前記基板部(11)から一体に突出する凸条部(16)とを有する成形面ファスナー(10,70,80)を、一次製品として、キャビティ空間が周面に形成されたダイホイール(41)を用いて成形すること、
成形された前記一次製品の成形面ファスナー(10,70,80)を前記ダイホイール(41)から引き剥がすこと、
前記一次製品の成形面ファスナー(10,70,80)における前記スペース領域(22)に位置決め部材(52a,62a) を挿入することにより当該成形面ファスナー(10,70,80)の位置を検知すること、及び、
位置が検知された前記成形面ファスナー(10,70,80)に対し、前記スペース領域(22)を少なくとも前記凸条部(16)が残るようにして切去する切断加工を行うこと、
を含んでなることを特徴とする成形面ファスナーの製造方法。
【請求項７】
前記一次製品の成形面ファスナー(10,70,80)の位置を検知する際に、搬送される前記成形面ファスナー(10,70,80)を間欠的に停止させて前記スペース領域(22)に前記位置決め部材(52a) を挿入すること、及び、
停止した前記成形面ファスナー(10,70,80)に対し、前記基板部(11)における幅方向の中央部から外側に向けて傾斜した先端刃部(55c) を有するカッティングパンチ(55)を所定の位置で昇降させることにより、前記切断加工を行うこと、
を含んでなる請求項６記載の成形面ファスナーの製造方法。
【請求項８】
前記一次製品の成形面ファスナー(10,70,80)の位置を検知する際に、前記成形面ファスナー(10,70,80)を連続的に搬送するとともに、前記位置決め部材(52a) を前記成形面ファスナー(10,70,80)の搬送方向に沿って移動させながら前記スペース領域(22)に挿入すること、及び、
連続的に搬送される前記成形面ファスナー(10,70,80)に対し、前記基板部(11)における幅方向の中央部から外側に向けて傾斜した先端刃部(55c) を有するカッティングパンチ(55)を、前記搬送方向に沿って移動させながら昇降させることにより、前記切断加工を行うこと、
を含んでなる請求項６記載の成形面ファスナーの製造方法。
【請求項９】
前記一次製品の成形面ファスナー(10,70,80)の位置を検知する際に、前記成形面ファスナー(10,70,80)を連続的に搬送するとともに、前記位置決め部材(62a) が周面に配された位置決めローラー(62b) を前記成形面ファスナー(10,70,80)の搬送速度に合わせて回転させることにより、前記位置決め部材(62a) を前記スペース領域(22)に挿入すること、及び、
連続的に搬送される前記成形面ファスナー(10,70,80)に対し、周面に刃部が配されたロータリーダイ(64)を前記成形面ファスナー(10,70,80)の搬送速度に合わせて回転させることにより、前記切断加工を行うこと、
を含んでなる請求項６記載の成形面ファスナーの製造方法。
【発明の詳細な説明】
【技術分野】
【０００１】
本発明は、クッション体の発泡成形時にそのクッション体の表面に一体化される成形面ファスナー及びその成形面ファスナーの製造方法に関し、特に、クッション体の発泡成形時に発泡樹脂材料が係合領域に侵入することを効果的に阻止可能な成形面ファスナー及びその成形面ファスナーの製造方法に関する。
【背景技術】
【０００２】
自動車や列車の座席用シート、各種ソファー、事務用チェアーなどは、発泡性樹脂を用いて所定の形状に成形されたクッション体（発泡体）の表面に、繊維製布帛や天然又は合成皮革などからなる表皮材を被着させて構成されていることが多い。このような各種のシート等に用いられるクッション体は、長時間着座しても疲れない着座姿勢を維持するため、人間工学的に満足する凹凸形状からなる湾曲面を有することがある。【０００３】
また、クッション体の表面に表皮材を被着させる場合、クッション体を所望の形状に成形した後、得られたクッション体の表面に表皮材を被せて固定する方法が採用されることが多い。特にこの場合、クッション体の表面と表皮材の裏面とを固定する手段として、成形面ファスナーが一般的に利用されている。【０００４】
成形面ファスナーは、熱可塑性樹脂からなる基材部の一表面（第１面）に複数の係合素子（例えば、雄型係合素子）が配されて構成されており、このような成形面ファスナーを、クッション体の成形時に同クッション体表面に係合素子が露呈するように一体化する。また、このクッション体を被覆する表皮材の裏面には、成形面ファスナーの係合素子と係着可能な複数の雌型係合素子を設けておく。【０００５】
そして、成形面ファスナーが一体化されたクッション体に表皮材を被せた後、その表皮材の裏面に配された雌型係合素子（ループ状係合素子）を、クッション体表面に配された成形面ファスナーの雄型係合素子に押し付けることにより、表皮材を成形面ファスナーに係着させる。これによって、表皮材が、クッション体の表面に当該表面の凹凸形状に沿って容易に固定され、表皮材がクッション体から浮き上がることを防止している。【０００６】
このように表皮材を固定するためにクッション体に一体化される成形面ファスナーの例が、米国特許第６，７２０，０５９号明細書（特許文献１）や国際公開第２０１２／０２５９８０号パンフレット（特許文献２）に開示されている。【０００７】
これらの特許文献１や特許文献２に記載されている成形面ファスナーでは、主に、長尺で薄板状の基板部に複数のフック状係合素子が立設されており、これらのフック状係合素子によりループ状係合素子を係合することが可能な係合領域が形成されている。この場合、係合領域は、基板部の長さ方向の全体に亘って形成されている。【０００８】
また、基板部における幅方向の左右側縁部には、左右一対の樹脂侵入防止壁部が、係合領域を間に挟むようにして長さ方向に沿って立設されている。更に特許文献２の成形面ファスナーでは、複数のフック状係合素子が、長さ方向と幅方向とに整列して配されているとともに、樹脂侵入防止壁部と係合素子との間と、幅方向に互いに隣接する係合素子の間とに横壁部が配されている。【０００９】
このような特許文献１や特許文献２の成形面ファスナーを一体化するようにクッション体を発泡成形する場合には、その成形面ファスナーをクッション体成形用金型の内面（キャビティ面）に保持して、発泡樹脂材料を金型の内部空間（キャビティ）に注入する。この場合、成形面ファスナーに配された左右の樹脂侵入防止壁部が金型の内面に密着することにより、成形面ファスナーの係合領域を左右の樹脂侵入防止壁部で金型の内部空間から遮断することができる。【００１０】
このように金型内面に成形面ファスナーの左右の樹脂侵入防止壁部が密着した状態で、クッション体の発泡樹脂材料を金型内に注入して発泡成形を行うことにより、発泡樹脂材料が左右の樹脂侵入防止壁部を越えて幅方向から係合領域内に侵入することを防いで、成形面ファスナーが一体化されたクッション体を製造することが可能となる。更に特許文献２の成形面ファスナーには、上述のような横壁部が配されているため、クッション体の発泡成形時に、発泡樹脂材料が、基板部の長さ方向の両端縁部に配された横壁部を越えて長さ方向から係合領域内に侵入することも効果的に防止できる。【００１１】
従って、特許文献１又は特許文献２の成形面ファスナーが一体化されたクッション体は、成形面ファスナーの係合素子が発泡体によって埋められることを防いで、複数の係合素子をクッション体の表面に露呈させることができる。これにより、成形面ファスナーが一体化されたクッション体では、係合領域に配された複数の係合素子による所望の係合力を安定して発揮することができるため、表皮材に設けられたループ状係合素子を安定して係合させることができる。【００１２】
また、特許文献１には、実施例の１つとして、長尺で薄板状の基板部に、長さ方向に沿って間隔を開けて配される複数の周壁部と、各周壁部の内側に配された複数の係合素子と、周壁部及び係合素子を間に挟むように基板部の左右側縁部に長さ方向に沿って立設された左右一対の樹脂侵入防止壁部とを有する成形面ファスナーも記載されている（特許文献１の図１３及び図１４を参照）。【００１３】
ところで、自動車や列車に配されるシート等に用いられるクッション体は、上述のように凹凸形状からなる湾曲面を有することがある。このようなクッション体に成形面ファスナーを取り付ける場合、クッション体の用途や製品のデザイン等によっては、成形面ファスナーを厚さ方向や幅方向に湾曲させた状態でクッション体に一体化させることもある。【００１４】
しかしながら、上述のような特許文献１や特許文献２の成形面ファスナーでは、複数の係合素子と左右の樹脂侵入防止壁部が設けられる基板部は、薄板状で長尺に形成されているため、幅方向に湾曲させることができない。従って、特許文献１や特許文献２の成形面ファスナーは、成形面ファスナーを幅方向に湾曲させた状態で一体化させる必要があるクッション体には対応することができないという欠点があった。【００１５】
これに対して、例えば特開２０１１−１４３２３１号公報（特許文献３）、国際公開第２０１３／０６１４２３号パンフレット（特許文献４）、及び米国特許出願公開第２０１３／０１４９４９０号明細書（特許文献５）には、幅方向に湾曲させた状態でクッション体に一体化することが可能な成形面ファスナーが開示されている。【００１６】
例えば特許文献３に記載されている成形面ファスナーは、発泡スチロールや不織布からなる基材に略魚骨状のフック部材が接着されて構成されている。この場合、基材は、長さ方向に沿って平行に配される左右の側壁部と、側壁部から外方へ延出する左右のフラップ部とを有するとともに、幅方向への延伸及び圧縮が可能に構成されている。【００１７】
特許文献３の略魚骨状のフック部材は、基材の左右の側壁部間に固定されている。また、フック部材は、長さ方向に沿って延在る中央リブと、中央リブの両側から幅方向に延出し、複数のフック状係合素子が上面に配される係合部とを有しており、長さ方向に隣接する係合部間には、一定の間隔が設けられている。【００１８】
このような特許文献３の成形面ファスナーであれば、幅方向に湾曲させた状態でクッション体に一体化することができる。また、クッション体の発泡成形時に、フック部材の係合部に、発泡樹脂材料が基材の左右の側壁部を越えて幅方向から侵入することを防止できる。【００１９】
特許文献４に記載されている成形面ファスナーは、平板状の基板部の上面に複数のフック状係合素子が立設された複数の面ファスナー部材が、可撓性を備えた連結部（モノフィラメント）を介して長さ方向に沿って連結されて構成されている。また、各面ファスナー部材には、複数の係合素子により形成される係合領域を囲むようして、基板部の左右側縁部に長さ方向に沿って立設される左右一対の縦防壁部と、基板部の前後端縁部に幅方向に沿って立設される２列の第１及び第２横壁部とが配されている。【００２０】
このような特許文献４の成形面ファスナーでも、幅方向に湾曲させた状態でクッション体に一体化することができる。また、各面ファスナー部材には左右一対の縦防壁部と前後の第１及び第２横壁部とが配されているため、クッション体の発泡成形時に、各面ファスナー部材の係合領域に発泡樹脂材料が侵入することを効果的に防止できる。【００２１】
特許文献５に実施例の１つとして記載されている成形面ファスナー（特許文献５の図５Ａ及び図５Ｂを参照）は、複数のフック状係合素子が立設された複数のファスニングセグメントが可撓性の首部によって長さ方向に沿って連結されて構成されている。また、各ファスニングセグメントは、基板部と、基板部に長さ方向に沿って立設される防壁部と、防壁部の外側に長さ方向に沿って配されるセグメント壁部と、基板部に幅方向に沿って立設される横壁部とを有する。【００２２】
各ファスニングセグメントには、左右の防壁部と前後の横壁部とによって囲まれ、クッション体の発泡成形時に発泡樹脂材料の侵入が防止される係合領域が設けられている。更に、特許文献５では、各ファスニングセグメントの係合領域の外側にも、係合素子が基板部から立設されており、これらの外側の係合素子が、発泡成形されるクッション体内に埋設されることにより、クッション体に対する成形面ファスナーの固着強度が高められる。
【先行技術文献】
【特許文献】
【００２３】
【特許文献１】米国特許第６，７２０，０５９号明細書
【特許文献２】国際公開第２０１２／０２５９８０号パンフレット
【特許文献３】特開２０１１−１４３２３１号公報
【特許文献４】国際公開第２０１３／０６１４２３号パンフレット
【特許文献５】米国特許出願公開第２０１３／０１４９４９０号明細書
【発明の概要】
【発明が解決しようとする課題】
【００２４】
特許文献１及び特許文献２に記載されている成形面ファスナーは、前述のように、幅方向に湾曲させることができないため、クッション体に成形面ファスナーを幅方向に湾曲させた状態で一体化させる場合には、特許文献３〜特許文献５に記載されているような幅方向に湾曲させることが可能で、特許文献１及び特許文献２に記載の成形面ファスナーとは形態が全く異なるカーブ対応の成形面ファスナーを用いる必要がある。【００２５】
このため、幅方向に湾曲させる必要がないストレートの形態で用いられる成形面ファスナーと、カーブ対応が可能な成形面ファスナーとでは、異なる製造装置や製造工程で別々に製造しなければならないことから、製造コストや製造効率の点から、ストレートの形態で用いられる成形面ファスナーを容易にカーブ対応できるようにすることが望まれていた。【００２６】
なお、例えば特許文献１及び特許文献２に記載の成形面ファスナーに対して、基板部の左右側縁部を複数個所で部分的に切除して連結部を後から形成することにより、係合領域を有する複数の面ファスナー部材が連結部で連結された形態を備えて幅方向に湾曲させることが可能な成形面ファスナーを得ることが可能となる。しかしこの場合、連結部を後から形成する際に、基板部の左右側縁部に長さ方向に沿って立設された樹脂侵入防止壁部も部分的に同時に切除される。このため、クッション体の発泡成形時に、成形面ファスナーの係合領域に発泡樹脂材料の侵入を許す可能性がある。【００２７】
一方、特許文献３に記載されている成形面ファスナーは、幅方向に湾曲させることが可能であるものの、合成樹脂製の略魚骨状のフック部材の他に、このフック部材を接着して支持するための基材が必要になる。このため、成形面ファスナーの製造工程が煩雑になるとともに、製造コストの増大を招くという問題があった。【００２８】
なお、特許文献３に別の実施例として記載されている成形面ファスナーでは、フック部材を接着して支持するための基材が不要であるものの、フック部材の各係合部を実質的に覆う保護層を設ける必要があり、前述の場合と同様に製造工程が煩雑になるとともに、製造コストの増大を招くという問題があった。【００２９】
特許文献４に記載されている成形面ファスナーは、係合素子を有する複数の面ファスナー部材がモノフィラメントにより長さ方向に沿って連結されて構成されている。このため、成形面ファスナーを例えば特許文献４に記載されているようにダイホイールを用いて成形する場合、モノフィラメントを挿入しながら成形面ファスナーを成形しなければならないため、製造工程が煩雑になるとともに製造コストの増大を招く。【００３０】
また、特許文献４の成形面ファスナーでは、複数の面ファスナー部材が細いモノフィラメントにより連結されているため、面ファスナー部材が、隣接する面ファスナー部材に対してねじれ易く、成形面ファスナーを金型に取り付ける際に、面ファスナー部材の向きを調整する必要がある場合もあった。【００３１】
なお、特許文献４には、モノフィラメントを用いずに、複数の面ファスナー部材が、基板部よりも細く形成された連結部により連結された成形面ファスナーの実施例も説明されている（特許文献４の実施例２を参照）。しかし、このモノフィラメントを用いない実施例に係る成形面ファスナーの場合、連結部の強度がモノフィラメントに比べて低くなり、成形面ファスナーが連結部で切れる虞があった。【００３２】
また、周面に係合素子等のキャビティ空間が凹設されたダイホイールを用いて成形面ファスナーを成形する場合、冷却されて固化した成形面ファスナーをダイホイールから引き剥がすときに、連結部が形成される部分には係合素子が設けられないため、当該部分が小さな抵抗でダイホイールから容易に引き剥がされる。しかしその一方で、連結部が形成される部分の剥離抵抗が小さくなることにより、成形面ファスナーを剥離する力が成形面ファスナーの長さ方向で不均一となる。それにより、連結部が形成される部分の近傍に配置されるフック状の係合素子が、成形面ファスナーをダイホイールから引き剥がすときに大きな力を受けてしまい、係合素子が変形する等の係合素子の形状に影響が出る懸念があった。【００３３】
特許文献５に記載されている成形面ファスナーでは、複数のファスニングセグメントが可撓性の首部によって長さ方向に沿って連結されているものの、連結部の強度を適切に確保することが難しく、成形面ファスナーが首部で切断され易いという問題があった。更に、特許文献５の成形面ファスナーも首部が細く形成されているため、面ファスナー部材が、隣接する面ファスナー部材に対してねじれ易いという問題もあった。【００３４】
また、この特許文献５の成形面ファスナーを製造する場合、例えばダイホイールを用いて首部が設けられていない一次製品の成形面ファスナーを成形した後に、その一次製品の成形面ファスナーに切断加工が行われる。また、一次製品の成形面ファスナーに切断加工を行う際に、係合素子間に位置決め部材を挿入して一次製品の成形面ファスナーの位置を検知するとともに当該成形面ファスナーを位置決め部材で押さえることが行われる。【００３５】
しかし、特許文献５の成形面ファスナーの場合、各係合素子間の間隔が狭く、また係合素子も千鳥状に位置をずらして配置されているため、係合素子間に位置決め部材を挿入し難いことから、切断加工における作業効率の低下を招き易く、また、位置決め部材が係合素子に接触して係合素子の変形や破損を招く虞もあった。【００３６】
本発明は上記従来の課題に鑑みてなされたものであって、その具体的な目的は、幅方向に湾曲させるカーブ状の使用形態に容易に対応することが可能で、且つ、係合素子に変形や破損などが生じることを防いで、効率的に製造することが可能な熱可塑性樹脂製の成形面ファスナー、及び、その成形面ファスナーの製造方法を提供することにある。
【課題を解決するための手段】
【００３７】
上記目的を達成するために、本発明により提供される成形面ファスナーは、基本的な構成として、薄板状の基板部の第１面に複数のフック状係合素子が立設された係合領域と、前記基板部に前記係合素子が排除された平坦面を備えるスペース領域とを長さ方向に交互に有し、前記係合領域は、前記基板部の左右側縁部に長さ方向に沿って立設される左右一対の樹脂侵入防止壁部と、前記係合領域の前端縁部及び後端縁部に前記スペース領域と区画するように幅方向に沿って立設される主横壁部とを備え、クッション体の発泡成形時に前記クッション体の表面に一体化させる熱可塑性樹脂製の成形面ファスナーにおいて、前記スペース領域は、前記基板部の左右側縁部に長さ方向に沿って立設される左右一対の縦壁部と、前記基板部の幅方向の中央部に長さ方向に沿って前記基板部から一体に突出する凸条部とを有し、前記凸条部は、前記スペース領域の長さ方向に隣接する前記主横壁部に連結一体化されてなることを最も主要な特徴とするものである。【００３８】
このような本発明に係る成形面ファスナーにおいて、前記基板部、前記樹脂侵入防止壁部、前記主横壁部、前記縦壁部、及び前記凸条部は、同一の熱可塑性樹脂を用いて構成されていることが好ましい。【００３９】
また、前記係合領域の前記樹脂侵入防止壁部と、前記スペース領域の前記縦壁部とが、前記基板部の全体に長さ方向に沿って連続して立設される一連の連続壁部として形成されていることが好ましい。【００４０】
更に、前記係合領域は、前端縁部側の前記主横壁部と後端縁部側の前記主横壁部との中間位置に幅方向に沿って配される予備横壁部を有していることが好ましい。【００４１】
更に本発明によれば、上述の構成を有する成形面ファスナーを一次製品とし、前記一次製品の成形面ファスナーに、前記スペース領域を少なくとも前記凸条部が残るように切去する切断加工が施され、前記切断加工により形成される前後の切断端部と複数の前記係合素子とを有する複数の面ファスナー部材が、前記凸条部を含む可撓性を備える連結部により長さ方向に連結されて、幅方向に湾曲可能に形成される成形面ファスナーが提供される。【００４２】
次に、本発明により提供される成形面ファスナーの製造方法は、基板部の第１面に複数のフック状係合素子が立設された複数の面ファスナー部材が、可撓性を備える連結部により長さ方向に連結され、クッション体の発泡成形時に前記クッション体の表面に幅方向に湾曲させた状態で一体化させることが可能な成形面ファスナーの製造方法であって、前記基板部は、前記基板部に複数の前記係合素子が立設された係合領域と、前記基板部に前記係合素子が排除された平坦面を備えるスペース領域とを長さ方向に交互に有し、前記係合領域は、前記基板部の左右側縁部に長さ方向に沿って立設される左右一対の樹脂侵入防止壁部と、前記係合領域の長さ方向の両端縁部に前記スペース領域と区画するように左右の前記樹脂侵入防止壁部間に亘って幅方向に沿って立設される主横壁部とを有し、前記スペース領域は、前記基板部の左右側縁部に長さ方向に沿って立設される左右一対の縦壁部と、前記基板部の幅方向の中央部に長さ方向に沿って前記基板部から一体に突出する凸条部とを有する成形面ファスナーを、一次製品として、キャビティ空間が周面に形成されたダイホイールを用いて成形すること、成形された前記一次製品の成形面ファスナーを前記ダイホイールから引き剥がすこと、前記一次製品の成形面ファスナーにおける前記スペース領域に位置決め部材を挿入することにより当該成形面ファスナーの位置を検知すること、及び、位置が検知された前記成形面ファスナーに対し、前記スペース領域を少なくとも前記凸条部が残るようにして切去する切断加工を行うこと、を含んでなることを最も主要な特徴とするものである。【００４３】
このような本発明に係る成形面ファスナーの製造方法は、前記一次製品の成形面ファスナーの位置を検知する際に、搬送される前記成形面ファスナーを間欠的に停止させて前記スペース領域に前記位置決め部材を挿入すること、及び、停止した前記成形面ファスナーに対し、前記基板部における幅方向の中央部から外側に向けて傾斜した先端刃部を有するカッティングパンチを所定の位置で昇降させることにより、前記切断加工を行うこと、を含んでいることが好ましい。【００４４】
また、本発明に係る成形面ファスナーの製造方法は、前記一次製品の成形面ファスナーの位置を検知する際に、前記成形面ファスナーを連続的に搬送するとともに、前記位置決め部材を前記成形面ファスナーの搬送方向に沿って移動させながら前記スペース領域に挿入すること、及び、連続的に搬送される前記成形面ファスナーに対し、前記基板部における幅方向の中央部から外側に向けて傾斜した先端刃部を有するカッティングパンチを、前記搬送方向に沿って移動させながら昇降させることにより、前記切断加工を行うこと、を含んでいても良い。【００４５】
更に、本発明に係る成形面ファスナーの製造方法は、前記一次製品の成形面ファスナーの位置を検知する際に、前記成形面ファスナーを連続的に搬送するとともに、前記位置決め部材が周面に配された位置決めローラーを前記成形面ファスナーの搬送速度に合わせて回転させることにより、前記位置決め部材を前記スペース領域に挿入すること、及び、連続的に搬送される前記成形面ファスナーに対し、周面に刃部が配されたロータリーダイを前記成形面ファスナーの搬送速度に合わせて回転させることにより、前記切断加工を行うこと、を含んでいても良い。
【発明の効果】
【００４６】
本発明に係る成形面ファスナーは、複数の係合素子を有する係合領域と、基板部に係合素子が排除された平坦面を備えるスペース領域とを長さ方向に交互に有しており、係合領域は、長さ方向に沿って立設される左右一対の樹脂侵入防止壁部と、スペース領域と区画するように幅方向に沿って立設される主横壁部とを備える。また、スペース領域は、基板部の左右側縁部に長さ方向に沿って立設される左右一対の縦壁部と、基板部の幅方向の中央部に長さ方向に沿って基板部から一体に突出する凸条部とを有しており、凸条部は、スペース領域の長さ方向に隣接する前記主横壁部に連結一体化されている。【００４７】
このような本発明の成形面ファスナーであれば、スペース領域を少なくとも凸条部が残るように切去する簡単な切断加工を施すことにより、複数の面ファスナー部材が、凸条部を含む可撓性を備える連結部によって連結された形態を容易に備えることができるため、前述の特許文献３のような発泡スチロールや不織布からなる基材や特許文献４のようなモノフィラメントなどの他部材を使用しなくても、幅方向に湾曲させるカーブ状の使用形態に容易に対応することが可能となる。【００４８】
またこの場合、連結部を構成する凸条部が、基板部から一体に突出して形成されているとともに、前後に隣接する係合領域の主横壁部に連結一体化されていることにより、連結部の強度を高めることができる。また、凸条部と基板部や主横壁部との相対的な位置関係を安定して維持でき、それにより、連結部により連結されている面ファスナー部材間にねじれを生じ難くすることができる。【００４９】
また本発明では、成形面ファスナーを、周面に係合素子等のキャビティ空間が凹設されたダイホイールを用いて成形する場合に、スペース領域の基板部に左右一対の縦壁部と凸条部とが配されている。なお、スペース領域に配される左右一対の縦壁部は、後述するようなカーブ状の使用形態に対応させるために切断加工を行う際には、却って邪魔になる存在であるが、このような左右一対の縦壁部と凸条部とがスペース領域に配されていることにより、スペース領域の部分をダイホイールから引き剥がすときの剥離抵抗を増大させることができ、成形面ファスナーを剥離する力が成形面ファスナーの長さ方向で不均一になることを抑制できる。それにより、スペース領域の近傍に配置される係合素子が、成形面ファスナーをダイホイールから引き剥がすときに大きな力を受け難くなり、所定の形状を有する面ファスナーを安定して形成することができる。【００５０】
更に本発明の成形面ファスナーでは、複数の係合素子を備える係合領域と、係合素子を備えないスペース領域とが長さ方向に交互に配されているため、例えばカーブ状の使用形態に対応させるために上述のような切断加工を行う際に、成形面ファスナーの位置を検知する位置決め部材を成形面ファスナーのスペース領域に安定して挿入し、成形面ファスナーの位置を的確に且つ迅速に検知することができる。このため、切断加工を正確に且つ効率的に行うことができる。また、スペース領域には係合素子が配されていないため、スペース領域に位置決め部材を挿入しても、係合領域内の係合素子に変形や破損が生じることを防止できる。【００５１】
このような本発明の成形面ファスナーにおいて、基板部、樹脂侵入防止壁部、主横壁部、縦壁部、及び凸条部は、同一の熱可塑性樹脂を用いて構成されている。これにより、成形面ファスナーの各部位を一体的に且つ強固に形成することができるとともに、成形面ファスナーの成形工程が煩雑になることを防いで、成形面ファスナーを効率的に製造することができる。【００５２】
また、成形面ファスナーが同一の熱可塑性樹脂を用いて構成されていることにより、例えば上述のような切断加工を行って成形面ファスナーをカーブ状の使用形態に対応させたときに、凸条部と基板部や主横壁部との相対的な位置関係をより安定して維持できるため、連結部により連結されている面ファスナー部材間にねじれがより生じ難くなる。【００５３】
またこの場合、基板部の幅方向の少なくとも一部に磁性粒子が長さ方向に沿って混入されている又は塗布されていることにより、成形面ファスナーに磁性を持たせることができる。これにより、キャビティ面又はキャビティ面近傍に磁石が配された成形用金型を用いてクッション体を発泡成形するときに、金型の磁石と成形面ファスナーとの間に生じる磁力を利用して、成形面ファスナーを金型のキャビティ面に容易に且つ安定して吸着固定することができる。更に、磁性粒子が基板部に長さ方向に沿って含まれていることにより、成形面ファスナーを金型に対して所定の位置に自動的に的確に合わせることが可能なセルフアライメント効果を得ることができる。【００５４】
また本発明の成形面ファスナーにおいて、係合領域の樹脂侵入防止壁部と、スペース領域の縦壁部とが、基板部の全体に長さ方向に沿って連続して立設される一連の連続壁部として形成されていることにより、成形面ファスナーを、周面に係合素子等のキャビティ空間が凹設されたダイホイールを用いて成形する場合に、係合領域の樹脂侵入防止壁部とスペース領域の縦壁部とを所定の形状に安定して成形できる。また、成形面ファスナーをダイホイールから引き剥がすときに、成形面ファスナーを剥離する力に成形面ファスナーの長さ方向でバラつきが生じることを抑制できる。なお、本発明では、係合領域の樹脂侵入防止壁部と、スペース領域の縦壁部とが、互いに基板部の幅方向の異なる位置に別々に立設されていても良い。【００５５】
また本発明の成形面ファスナーにおいて、係合領域は、前端縁部側の前記主横壁部と後端縁部側の前記主横壁部との中間位置に幅方向に沿って配される予備横壁部を有する。これにより、例えば所望の長さの成形面ファスナーを得るために、成形面ファスナーがスペース領域ではなく、係合領域の部分で基板部が切断された場合に、上述の予備横壁部を発泡樹脂材料が長さ方向から侵入することを阻止する樹脂侵入防止壁部として用いることができる。それにより、当該成形面ファスナーが一体化されたクッション体では、切断された係合領域の全体がクッション体内に埋設されることを防いで、係合素子よる係合力を係合領域の切断端部近傍まで得ることが可能となる。【００５６】
更に本発明によれば、上述の構成を有するストレート状の成形面ファスナーを一次製品とし、その一次製品の成形面ファスナーに、スペース領域を少なくとも凸条部が残るように切去する切断加工が施されて、切断加工により形成される前後の切断端部と複数の係合素子とを有する複数の面ファスナー部材が、凸条部を含む可撓性を備える連結部により長さ方向に連結された成形面ファスナーを提供することができる。【００５７】
このような一次製品のストレート状の成形面ファスナーに切断加工を行って得られる成形面ファスナーは、ストレート状の成形面ファスナーと異なる成形工程を行うことなく製造することが可能であるため、製造工程の効率化や製造コストの削減を実現できる。【００５８】
また、連結部を構成する凸条部が、基板部から一体に突出して形成されているとともに、前後に隣接する係合領域の主横壁部に連結一体化されていることにより、連結部の強度を高めることができる。また、凸条部と基板部や主横壁部との相対的な位置関係を安定して維持できるため、連結部により連結されている面ファスナー部材間にねじれを生じ難くすることができる。【００５９】
次に、本発明により提供される成形面ファスナーの製造方法では、先ず、キャビティ空間が周面に形成されたダイホイールを用いて、一次製品となる成形面ファスナーを成形する。この場合、成形面ファスナーは、テープ状の基板部に複数の係合素子が立設された係合領域と、係合素子が排除された平坦面を備えるスペース領域とを長さ方向に交互に配され、係合領域が左右一対の樹脂侵入防止壁部と前後の主横壁部とを有し、スペース領域が左右一対の縦壁部と凸条部とを有するように成形される。【００６０】
続いて、ダイホイールの周囲に成形された一次製品の成形面ファスナーをダイホイールから引き剥がす。このとき、成形面ファスナーにおけるスペース領域の基板部に左右一対の縦壁部と凸条部とが配されていることにより、スペース領域の部分をダイホイールから引き剥がすときの剥離抵抗を増大させることができるため、成形面ファスナーを剥離する力が成形面ファスナーの長さ方向で不均一になることを抑制できる。それにより、スペース領域の近傍に配置される係合素子が、成形面ファスナーをダイホイールから引き剥がすときに大きな力を受け難くなり、所定の形状を有する係合素子を安定して形成することができる。【００６１】
上述のように一次製品の成形面ファスナーをダイホイールから引き剥がした後、その一次製品の成形面ファスナーにおけるスペース領域に位置決め部材を挿入することにより当該成形面ファスナーの位置を検知する。このとき、本発明では、位置決め部材を成形面ファスナーのスペース領域に安定して挿入して、成形面ファスナーの位置を的確に且つ迅速に検知することができる。また、スペース領域には係合素子が配されていないため、スペース領域に位置決め部材を挿入しても、係合領域内の係合素子に変形や破損が生じることを防止できる。【００６２】
そして、本発明の製造方法では、位置決め部材の挿入により位置が検知された成形面ファスナーに対し、スペース領域を少なくとも凸条部が残るようにして切去する切断加工を行うことにより、複数の係合素子を有する複数の面ファスナー部材が、凸条部を含む可撓性を備える連結部により長さ方向に連結されており、連結部にて幅方向に湾曲させることが可能な成形面ファスナーを安定して効率的に製造することができる。【００６３】
このような本発明に係る成形面ファスナーの製造方法において、一次製品の成形面ファスナーの位置を検知する際に、搬送される成形面ファスナーを間欠的に停止させてスペース領域に前記位置決め部材を挿入することにより、成形面ファスナーの位置をより的確に安定して検知することができる。【００６４】
また、その停止した成形面ファスナーに対し、基板部における幅方向の中央部から外側に向けて傾斜した先端刃部を有するカッティングパンチを所定の位置で昇降させて切断加工を行うことにより、成形面ファスナーにおけるスペース領域の所定の部分をきれいに且つ確実に切去して、切断加工により形成される切断端部（切断縁）をきれいに仕上げることができる。また、凸条部を備える連結部を所定の形状及び寸法を有するように安定して形成することができる。【００６５】
また、本発明に係る成形面ファスナーの製造方法においては、一次製品の成形面ファスナーの位置を検知する際に、成形面ファスナーを連続的に搬送するとともに、位置決め部材を成形面ファスナーの搬送方向に沿って移動させながらスペース領域に挿入しても良く、それにより、成形面ファスナーを搬送しながら成形面ファスナーの位置を効率的に検知することができる。【００６６】
またこの場合、連続的に搬送される成形面ファスナーに対し、基板部における幅方向の中央部から外側に向けて傾斜した先端刃部を有するカッティングパンチを、搬送方向に沿って移動させながら昇降させて切断加工を行うができ、それにより、成形面ファスナーにおけるスペース領域の所定の部分を効率的に切去して、切断加工により形成される切断面（切断縁）をきれいに仕上げることができる。また、凸条部を備える連結部を所定の形状及び寸法を有するように安定して形成することができる。【００６７】
更に、本発明に係る成形面ファスナーの製造方法においては、一次製品の成形面ファスナーの位置を検知する際に、成形面ファスナーを連続的に搬送するとともに、位置決め部材が周面に配された位置決めローラーを成形面ファスナーの搬送速度に合わせて回転させることにより、位置決め部材をスペース領域に挿入しても良く、それにより、成形面ファスナーを搬送しながら成形面ファスナーの位置を効率的に検知することができる。【００６８】
またこの場合、連続的に搬送される成形面ファスナーに対し、周面に刃部が配されたロータリーダイを成形面ファスナーの搬送速度に合わせて回転させることにより、切断加工を行うことができ、それにより、成形面ファスナーにおけるスペース領域の所定の部分を効率的に切去できるとともに、凸条部を備える連結部を所定の形状及び寸法を有するように安定して形成することができる。
【図面の簡単な説明】
【００６９】
【図１】本発明の実施例１に係る成形面ファスナーを示す平面図である。
【図２】図１に示したＩＩ−ＩＩ線における断面図である。
【図３】図１に示したＩＩＩ−ＩＩＩ線における断面図である。
【図４】図１に示したＩＶ−ＩＶ線における断面図である。
【図５】図１に示したＶ−Ｖ線における断面図である。
【図６】同成形面ファスナーの成形工程を説明する模式図である。
【図７】実施例１の成形面ファスナーに切断加工を行って得られる成形面ファスナーを示す平面図である。
【図８】図７に示したＶＩＩＩ−ＶＩＩＩ線における断面図である。
【図９】実施例１の成形面ファスナーに切断加工を行う工程を説明する模式図である。
【図１０】同切断加工を行う工程に配される位置決め部及び切断部を示す模式図である。
【図１１】切断部のカッティングダイとカッティングパンチを示す斜視図である。
【図１２】切断部と成形面ファスナーとの関係を示す模式図である。
【図１３】切断加工を行う工程に配される位置決めローラー及びロータリーダイカッターを示す模式図である。
【図１４】ロータリーダイカッターの刃先部を示す模式図である。
【図１５】本発明の実施例２に係る成形面ファスナーを示す平面図である。
【図１６】図１５に示したＸＶＩ−ＸＶＩ線における断面図である。
【図１７】本発明の実施例３に係る成形面ファスナーの側面図である。
【図１８】同成形面ファスナーがクッション体に一体化されたときの状態を示す模式図である。
【発明を実施するための形態】
【００７０】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。例えば、以下の各実施例において、面ファスナー部に配されるフック状係合素子の個数、配設位置、及び取り付けピッチなどは特に限定されるものではなく、任意に変更することが可能である。
【実施例１】
【００７１】
図１は、本実施例１に係る成形面ファスナーを示す平面図であり、図２〜図５は、図１に示したＩＩ−ＩＩ線〜Ｖ−Ｖ線における各断面図である。【００７２】
なお、以下の説明においては、成形面ファスナーの基板部における長手方向を前後方向と規定し、基板部における幅方向を左右方向と規定する。また、基板部における表裏方向を上下方向と規定し、特に、基板部に対して係合素子が配されている側の方向を上方とし、その反対側の方向を下方とする。【００７３】
本実施例１に係る成形面ファスナー１０は、後述するようにダイホイール４１を用いて熱可塑性樹脂材料を成形することにより、長さ方向に長尺な形態に形成されている。なお、成形面ファスナー１０の材質は、特に限定されないが、例えばポリエチレン、ポリプロピレン、ポリエステル、ナイロン、ポリブチレンテレフタレート、又はそれらの共重合体などの単一の熱可塑性樹脂材料を成形面ファスナー１０の材質として採用できる。【００７４】
本実施例１に係る成形面ファスナー１０は、薄板状の基板部１１を有しており、この基板部１１には、上面（第１面）に複数のフック状の係合素子１２が立設された係合領域２１と、係合素子１２が排除された平坦面を備えるスペース領域２２とが長さ方向に交互に配されている。各係合領域２１は、長さ方向に所定の間隔をもって形成されている。【００７５】
また本実施例１において、フック状の係合素子１２は、係合頭部が後述のように二股に分岐して係合領域２１の主要な係合力を発現するフック状の第１係合素子１２ａと、後述する分割横壁体１５ａとともに補助横壁部１５を構成するフック状の第２係合素子１２ｂとを有する。【００７６】
なお、本実施例１において、係合領域２１とは、クッション体の表面に一体化されたときに係合力を発揮する第１及び第２係合素子１２ａ，１２ｂが配された領域を言い、この係合領域２１は、後述の一対の樹脂侵入防止壁部１３ａと前後の主横壁部１４によって囲まれ、複数の第１及び第２係合素子１２ａ，１２ｂが立設された係合素子形成領域を有する。また、スペース領域２２は、主横壁部１４により係合領域２１と区画され、クッション体の表面に一体化されたときに係合素子１２として機能する要素が無い状態（係合素子１２が排除された状態）に形成される領域である。【００７７】
このスペース領域２２の長さ寸法（長さ方向における寸法）は特に限定されないが、本実施例１の場合、スペース領域２２の長さ寸法は、成形面ファスナー１０において係合領域２１内の第１及び第２係合素子１２ａ，１２ｂによる係合力が適切に得られるように、係合領域２１の長さ寸法よりも小さくなるように設定されている。【００７８】
また、スペース領域２２の長さ寸法は、図１に示したストレート状の成形面ファスナー１０（一次製品）に切断加工を行ってスペース領域２２の一部を切去することによって幅方向に湾曲可能な後述のカーブ対応の成形面ファスナー３０を製造したときに、当該カーブ対応の成形面ファスナー３０を適切な曲率まで湾曲させることが可能な寸法に設定されていることが好ましく、例えば第１係合素子１２ａの長さ方向における取付ピッチの大きさ（長さ方向に隣接する第１係合素子１２ａ間の間隔）よりも大きな寸法に設定されていることが好ましい。【００７９】
本実施例１において、成形面ファスナー１０の各係合領域２１には、複数の係合素子１２を間に挟むように基板部１１の左右側縁部に長さ方向に沿って立設される左右一対の樹脂侵入防止壁部１３ａと、各係合領域２１の前端縁部及び後端縁部にスペース領域２２と区画するように幅方向に沿って立設される前後の主横壁部１４と、前後の主横壁部１４の内側に隣接して配される補助横壁部１５と、基板部１１の幅方向の中央部に長さ方向に沿って基板部１１から一体に突出する凸条部１６とが配されている。【００８０】
一方、成形面ファスナー１０の各スペース領域２２には、基板部１１の左右側縁部に長さ方向に沿って立設される左右一対の縦壁部１３ｂと、基板部１１の幅方向の中央部に長さ方向に沿って基板部１１から一体に突出する凸条部１６とが配されている。【００８１】
この場合、係合領域２１の樹脂侵入防止壁部１３ａと、スペース領域２２の縦壁部１３ｂとは、基板部１１の全体に長さ方向に沿って連続して立設される一連の連続壁部１３として形成されている。また、係合領域２１の凸条部１６と、スペース領域２２の凸条部１６とは、長さ方向に沿って連続する形態で配されている。なお、本発明では、係合領域２１から凸条部１６を排除して成形面ファスナー１０を形成することもできる。以下、本実施例１の成形面ファスナー１０における各部位の構成について、より具体的に説明する。【００８２】
成形面ファスナー１０の基板部１１は、上下方向（表裏方向）から見たときに、前後方向（長さ方向）に長く、左右方向（幅方向）に狭い矩形状を呈する薄板状の形態を有しており、上下方向に湾曲可能に構成されている。この基板部１１の左右側縁部には、上述の連続壁部１３が、基板部１１の左右側縁から内側に入り込んだ位置に配されており、連続壁部１３よりも外側の上面は平坦面に形成されている。【００８３】
この基板部１１の下面（裏面）側には、前後方向に平行な複数の凹溝部１１ａが設けられている。基板部１１がこのような複数の凹溝部１１ａを有することにより、成形面ファスナー１０が後述するクッション体（発泡体）の発泡成形時に同クッション体に一体化されるときに、成形面ファスナー１０とクッション体との接触面積を大きくして、クッション体に対する成形面ファスナー１０の固着強度を高めることができる。【００８４】
なお、本発明では、クッション体に対する成形面ファスナー１０の固着強度を高めるために、上述のような複数の凹溝部１１ａの代わりに、例えば基板部１１の下面に、突条部又はやじり状の突起部などを設けても良いし、又は、不織布を固着させても良い。また、基板部１１の下面は、上述のような凹溝部１１ａなどを設けることなく、平坦な面に形成しても良い。【００８５】
この基板部１１に設けられる各係合領域２１には、複数の第１係合素子１２ａと複数の第２係合素子１２ｂとが、左右の樹脂侵入防止壁部１３ａ及び前後の主横壁部１４によって囲まれる内側の領域（係合素子形成領域）内に立設されている。【００８６】
第１係合素子１２ａは、クッション体に被せられる表皮材との間で適切な係合力が得られるように、長さ方向及び幅方向に所定の取付ピッチをもって整列して基板部１１の上面に立設されている。特に本実施例１における各係合領域２１の第１係合素子１２ａは、左右の樹脂侵入防止壁部１３ａ間に長さ方向（縦方向）に５列に並ぶとともに、前後の主横壁部１４間に幅方向（横方向）に６列に並んで配されている。【００８７】
また、各第１係合素子１２ａは、基板部１１の上面から垂直に立設される立ち上がり部と、その立ち上がり部の上端部から前後方向に分岐して湾曲するフック状の係合頭部とを有する。各第１係合素子１２ａにおける基板部１１の上面から高さ寸法（高さ方向における寸法）は、樹脂侵入防止壁部１３ａの後述する縦壁体１８、主横壁部１４（連続横壁体１４ａ）、及び補助横壁部１５の後述する分割横壁体１５ａにおける高さ寸法と同じ大きさに設定されている。【００８８】
なお、本発明において、第１係合素子１２ａの形状、寸法、取付ピッチ等は特に限定されるものではなく、任意に変更することができる。また、左の樹脂侵入防止壁部１３ａから１つ目、３つ目、及び５つ目の縦列に配される第１係合素子１２ａには、当該第１係合素子１２ａを補強する補強部が立ち上がり部の左右側面に一体的に設けられている。【００８９】
各第２係合素子１２ｂは、基板部１１の上面から垂直に立設される立ち上がり部と、その立ち上がり部の上端部から第１係合素子１２ａの形成領域側（各係合領域２１における長さ方向の内側）に向けてフック状に湾曲する片持ち状の係合頭部とを有する。また、各第２係合素子１２ｂには、当該第２係合素子１２ｂを補強する補強部が立ち上がり部に一体的に設けられている。本実施例１において、第２係合素子１２ｂと第１係合素子１２ａとの間の長さ方向における間隔は、第１係合素子１２ａの長さ方向における取付ピッチの大きさとほぼ同じ大きさに設定されている。【００９０】
本実施例１における左右の連続壁部１３（すなわち、係合領域２１の樹脂侵入防止壁部１３ａ及びスペース領域２２の縦壁部１３ｂ）は、幅方向の外側寄りに配された第１連続縦壁部（第１連続縦壁列）１７ａと、第１連続縦壁部１７ａの内側（幅方向の中央部側）に配された第２連続縦壁部（第２連続縦壁列）１７ｂとをそれぞれ有しており、第１及び第２連続縦壁部１７ａ，１７ｂは、それぞれ、長さ方向に沿って列状に並んで間欠的に配される複数の縦壁体１８により構成されている。なお、本発明において、連続壁部１３を構成する連続縦壁列の配設数（列数）や縦壁体１８の形態などは特に限定されるものではない。【００９１】
本実施例１において、第１及び第２連続縦壁部１７ａ，１７ｂを構成する縦壁体１８は、それぞれ前後方向に沿って所定の取付ピッチをもって間欠的に配されており、長さ方向に隣接する各縦壁体１８間には所定の間隙が設けられている。また、第１連続縦壁部１７ａの縦壁体１８と第２連続縦壁部１７ｂの縦壁体１８とは、長さ方向に互い違いの位置関係となるように相互に位置をずらされて配されている。【００９２】
更に、第１連続縦壁部１７ａの縦壁体１８の前端部と、第２連続縦壁部１７ｂの縦壁体１８の後端部とは壁連結部１９により相互に連結されているとともに、第１連続縦壁部１７ａの縦壁体１８の後端部と、第２連続縦壁部１７ｂの縦壁体１８の前端部とが壁連結部１９により相互に連結されている。この場合、第１連続縦壁部１７ａの縦壁体１８、第２連続縦壁部１７ｂの縦壁体１８、及び壁連結部１９は、基板部１１の上面からの高さ寸法が互いに同じ大きさとなるように形成されている。【００９３】
左右の連続壁部１３が上述のように構成されていることにより、クッション体の発泡成形時に、発泡樹脂材料が連続壁部１３を越えて第１及び第２係合素子１２ａ，１２ｂの形成領域（すなわち、係合領域２１における左右の樹脂侵入防止壁部１３ａに挟まれた領域）内に侵入することを防止できる。【００９４】
また、左右の連続壁部１３は、基板部１１の長さ方向の全体に亘って配されているが、第１及び第２連続縦壁部１７ａ，１７ｂの縦壁体１８間に設けられた間隙を拡げたり、狭めたりすることにより、成形面ファスナー１０を上下方向に曲げることが可能である。これにより、左右の連続壁部１３の設置により成形面の柔軟性が阻害されることを抑えられる。【００９５】
更に、左右の連続壁部１３が上述のように構成されていることにより、本実施例１の成形面ファスナー１０を後述のようにダイホイール４１を用いて成形したときに、得られる成形面ファスナー１０が、左右の連続壁部１３が設けられている基板部１１の上面側に反り返ることも抑制できる。【００９６】
本実施例１における主横壁部１４は、基板部１１における係合領域２１の前端縁部及び後端縁部の上面から一体的に立設され、左右の樹脂侵入防止壁部１３ａ間に亘って幅方向に沿って連続して配される連続横壁体１４ａにより構成されている。この連続横壁体１４ａは、基板部１１から一定の高さ寸法をもって直線的に配されているとともに、左右の樹脂侵入防止壁部１３ａに連結されている。【００９７】
この主横壁部１４と、主横壁部１４の第１係合素子１２ａの形成領域側に隣接する補助横壁部１５とは、互いに離間した状態で並列に配されており、主横壁部１４の連続横壁体１４ａと補助横壁部１５の後述する補助横壁体との間の間隔は、第１係合素子１２ａの長さ方向における取付ピッチの大きさよりも小さくなるように設定されている。【００９８】
これにより、成形面ファスナー１０の長さ方向における第１係合素子１２ａの形成密度を高めることに繋がるため、成形面ファスナー１０が有する全体的な係合力を高めることができる。また、成形面ファスナー１０の基板部１１が幅方向に反り返るように湾曲することを抑制できる。【００９９】
本実施例１の補助横壁部１５は、図３に示したように、左右の樹脂侵入防止壁部１３ａ間に基板部１１の上面から一定の高さ寸法をもって幅方向に沿って間欠的に立設された複数の分割横壁体１５ａと、各分割横壁体１５ａ間に配される複数の第２係合素子１２ｂとを有する。【０１００】
特に、本実施例１の補助横壁部１５は、幅方向に沿って直線状に並べられた６つの分割横壁体１５ａと、これらの分割横壁体１５ａ間に立設された５つの第２係合素子１２ｂとにより構成されている。なお、本発明において、補助横壁部１５は、左右の樹脂侵入防止壁部１３ａ間に亘って幅方向に沿って連続して配される連続横壁体により構成されていても良い。【０１０１】
この場合、各分割横壁体１５ａは、基板部１１の上面に直方体状の形態を有して立設されている。また、互いに隣り合って配される分割横壁体１５ａと第２係合素子１２ｂとは、基板部１１側の下端部にて相互に連結されている。これによって、分割横壁体１５ａと第２係合素子１２ｂとが互いに補強され、分割横壁体１５ａ及び第２係合素子１２ｂの強度を高めている。【０１０２】
一方、互いに隣り合って配される分割横壁体１５ａの上端部と第２係合素子１２ｂの上端部とは、小さな間隔が間に形成されるように相互に離間して形成されている。これにより、第２係合素子１２ｂの係合頭部の動きに自由度が与えられるため、後述するようにダイホイール４１を用いて成形面ファスナー１０を成形する際に、第２係合素子１２ｂをダイホイール４１のキャビティ空間から容易に引き抜いて、所定の形状を有する第２係合素子１２ｂを安定して成形することができる。なお、この補助横壁部１５は、左右の樹脂侵入防止壁部１３ａと離間して形成されているものの、補助横壁部１５の配設位置によっては樹脂侵入防止壁部１３ａに連結されて形成されていても良い。【０１０３】
また、補助横壁部１５において、分割横壁体１５ａにおける基板部１１上面からの高さ寸法と、第２係合素子１２ｂにおける基板部１１上面からの高さ寸法とは、互いに同じ大きさに設定されているとともに、左右の樹脂侵入防止壁部１３ａを構成する第１及び第２縦壁部１３ｂの縦壁体１８、第１係合素子１２ａ、及び、主横壁部１４の連続横壁体１４ａと同じ大きさに設定されている。【０１０４】
即ち、本実施例１の成形面ファスナー１０は、左右の樹脂侵入防止壁部１３ａ、第１係合素子１２ａ、主横壁部１４、及び補助横壁部１５における上端位置が同一の平面上に配されるように形成されている。これにより、本実施例のストレート状の成形面ファスナー１０、又は、そのストレート状の成形面ファスナー１０に切断加工を行って得られるカーブ対応の成形面ファスナー３０を用いて、後述するようにクッション体の発泡成形を行う際に、左右の樹脂侵入防止壁部１３ａの上端面と、主横壁部１４及び補助横壁部１５の上端面とを金型の平坦なキャビティ面に安定して密着させることができる。それによって、発泡性樹脂材料が、左右の樹脂侵入防止壁部１３ａや主横壁部１４及び補助横壁部１５を越えて係合領域２１の係合素子形成領域内に侵入することを防止できる。【０１０５】
各スペース領域２２に設けられる凸条部１６は、長さ方向に直交する横断面が矩形状を呈するように、基板部１１の上面に一体的に突設されている。この凸条部１６は、スペース領域２２の長さ方向の全体に配されているとともに、当該スペース領域２２の前後に隣接して配される主横壁部１４（連続横壁体１４ａ）に連結されている。【０１０６】
本発明において、凸条部１６における基板部１１の上面からの高さ寸法は特に限定されるものではないが、後述するカーブ対応の成形面ファスナー３０を製造したときに連結部３２の強度を適切に確保するために、例えば主横壁部１４の連続横壁体１４ａにおける基板部１１の上面からの高さ寸法の３０％以上、特に４０％以上の大きさに設定されていることが好ましい。【０１０７】
また、カーブ対応の成形面ファスナー３０における連結部３２の柔軟性等を考慮すると、凸条部１６における基板部１１の上面からの高さ寸法は、主横壁部１４の連続横壁体１４ａの高さ寸法よりも小さい大きさ、特に連続横壁体１４ａの高さ寸法の７０％以下の大きさに設定されていることが好ましい。【０１０８】
上述のような本実施例１の成形面ファスナー１０においては、成形面ファスナー１０を構成する合成樹脂の一部に、鉄、コバルト、ニッケル等の合金からなる磁性粒子が混入されている。特に本実施例１の成形面ファスナー１０において、磁性粒子は、係合領域２１及びスペース領域２２における基板部１１の幅方向の中央部と凸条部１６とに、長さ方向の全体に亘って混入されている。なお、混入する磁性粒子の材質は、磁石に磁気的に引き付けられる材料であれば特に限定されない。【０１０９】
このように磁性粒子が成形面ファスナー１０に混入していることにより、クッション体の発泡成形に用いられる金型のファスナー保持部に磁石が配されている場合に、そのファスナー保持部の磁石と成形面ファスナー１０に混入した磁性粒子との間に生じる磁力を利用することによって、成形面ファスナー１０を金型のファスナー保持部に所定の密着状態で安定して吸着固定することができる。【０１１０】
更に、磁性粒子が上述のように基板部１１の一部と凸条部１６とに長さ方向の全体に亘って混入されていることにより、金型のファスナー保持部に成形面ファスナー１０を保持する際に、金型のファスナー保持部に対する成形面ファスナー１０の位置及び向きを精度良く自動的に合わせることが可能なセルフアライメント効果も得られる。【０１１１】
なお、本発明において、成形面ファスナー１０の少なくとも一部の領域に磁性粒子が長さ方向の全体に亘って混入されていれば、成形面ファスナー１０における磁性粒子の混入領域は任意に変更することができる。例えば磁性粒子を成形面ファスナー１０の長さ方向及び幅方向の全体に混入することも可能である。【０１１２】
更に本発明では、成形面ファスナー１０を構成する合成樹脂に磁性粒子を混入することに替えて、成形面ファスナー１０を所定の形状に成形した後に、得られた成形面ファスナー１０の下面（裏面）に磁性粒子を塗布することによって、成形面ファスナー１０を磁石に磁気的に引き付けられるように構成することも可能である。【０１１３】
上述のような構成を有する本実施例１の成形面ファスナー１０は、例えば図６に示したような製造装置（成形装置）４０を用いて製造される。
具体的に説明すると、成形面ファスナー１０の製造装置４０は、一方向に駆動回転するダイホイール４１と、ダイホイール４１の周面に対向して配された溶融樹脂材料の連続押出ノズル４２と、連続押出ノズル４２よりもダイホイール４１の回転方向下流側にダイホイール４１の周面に対向して配されたピックアップローラー４３と、ダイホイール４１の周面から引き剥がした長尺の成形面ファスナー１０を所定の長さ寸法で切断する図示しない切断部とを有する。【０１１４】
この製造装置４０が有するダイホイール４１の周面には、成形面ファスナー１０の上述した第１及び第２係合素子１２ａ，１２ｂ、左右の連続壁部１３、主横壁部１４、補助横壁部１５、及び凸条部１６などを成形するための成形用キャビティが形成されている。また、ダイホイール４１は、冷却液をダイホイール４１の内部に流通させており、ダイホイール４１の下部には、同ダイホイール４１の下半部を浸漬させるように冷却液槽が配されている。【０１１５】
このような製造装置４０を用いて、図１に示した本実施例１の成形面ファスナー１０を製造する場合、先ず、主成分が単一の又は磁性粒子が部分的に混入した溶融した樹脂材料を連続押出ノズル４２からダイホイール４１の周面に向けて連続して押し出す。このとき、ダイホイール４１は一方向に駆動回転しており、その周面に押し出された溶融樹脂は連続押出ノズル４２とダイホイール４１との間にて成形面ファスナー１０の基板部１１を成形し、それと同時に、上述した成形用キャビティにて、第１及び第２係合素子１２ａ，１２ｂ、左右の連続壁部１３、主横壁部１４、補助横壁部１５、及び凸条部１６などを順次成形する。【０１１６】
ダイホイール４１の周面上で成形される成形面ファスナー１０は、ダイホイール４１の周面に担持されて冷却されながら半回転することにより固化され、その後、ピックアップローラー４３によってダイホイール４１の周面から連続的に引き剥がされる。【０１１７】
この場合、本実施例１の成形面ファスナー１０では、第１及び第２係合素子１２ａ，１２ｂを備える係合領域２１と、第１及び第２係合素子１２ａ，１２ｂを備えないスペース領域２２とが長さ方向に交互に形成される。このため、ピックアップローラー４３によりダイホイール４１の周面から引き剥がすときの剥離抵抗が、係合領域２１とスペース領域２２との間で異なる。【０１１８】
しかし、本実施例１のスペース領域２２には、左右の連続壁部１３（縦壁部１３ｂ）と凸条部１６とが長さ方向に沿って設けられているため、ダイホイール４１の周面から成形面ファスナー１０を引き剥がすときのスペース領域２２における剥離抵抗を増大させることができ、それにより、成形面ファスナー１０を剥離する力が成形面ファスナー１０の長さ方向で不均一になることを抑制できる。【０１１９】
例えばスペース領域に本実施例１のような縦壁部１３ｂや凸条部１６が設けられておらず、スペース領域の剥離抵抗が係合領域の剥離抵抗よりも著しく小さい場合、係合領域とスペース領域との間の剥離抵抗の大きさが大きく異なって、スペース領域がダイホイール４１の周面から比較的小さな力で簡単に剥がれる。その結果、係合領域内でスペース領域の近傍に配される第１係合素子や第２係合素子をダイホイール４１のキャビティ空間から引き抜くときに、これらの第１及び第２係合素子が大きな力を受けて強引に引き抜かれてしまい、第１及び第２係合素子が変形したり、破損したりして係合素子の形状に影響が出る虞があった。【０１２０】
これに対して、本実施例１では、スペース領域２２に縦壁部１３ｂと凸条部１６とを意図的に設けてスペース領域２２の剥離抵抗を係合領域２１の剥離抵抗に近づくように大きくしている。これにより、係合領域２１内でスペース領域２２の近傍に配される第１係合素子１２ａや第２係合素子１２ｂが、ダイホイール４１のキャビティ空間から引き抜くときに受ける力を小さくし、それによって、第１及び第２係合素子１２ａ，１２ｂに変形や破損が生じることを防いで、所定の形状を有する第１及び第２係合素子１２ａ，１２ｂを安定して形成することができる。【０１２１】
その後、ダイホイール４１から引き剥がされた長尺の成形面ファスナー１０を、図示しない切断部に向けて搬送し、同切断部にて所定の長さで切断する。これにより、図１に示したように、所定の長さを有するストレート状の成形面ファスナー１０が製造される。なお、本発明において、ストレート状の成形面ファスナー１０を製造する製造装置や製造方法は特に限定されるものではなく、任意に変更することができる。【０１２２】
上述のような方法を用いて製造された本実施例１に係るストレート状の成形面ファスナー１０は、例えば自動車の座席用シートなどのクッション体（発泡体）が発泡成形されると同時に、そのクッション体に一体化される。【０１２３】
具体的に説明すると、先ず、本実施例１の成形面ファスナー１０を、クッション体の成形用金型のキャビティ面における所定の位置に形成された面ファスナー取付面（面ファスナー載置面）に載置する。このとき、金型の面ファスナー取付面は、平坦面により構成されている。なお、この面ファスナー取付面は、幅方向においては均一な平坦面であるが、長手方向においては凸面状又は凹面状の湾曲面により構成されていても良い。【０１２４】
また、金型の内部には、ネオジム磁石などの磁石が面ファスナー取付面の位置に対応して埋設されている。このため、成形面ファスナー１０を金型の面ファスナー取付面に成形面ファスナー１０の上面が対向するように載置することにより、磁石の吸引力により、成形面ファスナー１０に混入された磁性粒子が引き付けられる。【０１２５】
これにより、成形面ファスナー１０が金型の面ファスナー取付面に吸着して固定されるとともに、上述したセルフアライメント効果により、金型に対する成形面ファスナー１０の位置及び向きが精度良く自動的に合わせられる。更に、このように成形面ファスナー１０が金型の面ファスナー取付面に固定されることにより、成形面ファスナー１０における左右の連続壁部１３、主横壁部１４、及び補助横壁部１５の各上面が、金型の平坦な面ファスナー取付面に密着させた状態で保持される。【０１２６】
続いて、成形面ファスナー１０を所定位置に固定した金型内に、同金型に配される噴射ノズルから発泡樹脂材料を噴射して注入する。このとき、例えば噴射ノズルを金型に対して相対的に移動させながら発泡樹脂材料を噴射することにより、金型のキャビティ空間の隅々まで発泡樹脂材料を注入することができる。更に、所定量の発泡樹脂材料を噴射ノズルから噴射した後に金型を型締めする。これにより、樹脂材料が発泡しながら金型のキャビティ空間全体に行き渡り、クッション体が成形される。【０１２７】
このとき、成形面ファスナー１０は金型に配した磁石の吸引作用により所定の位置に位置決め固定されているため、発泡樹脂材料の流動圧力や発泡圧力などによって成形面ファスナー１０の位置が動かされることはない。また、成形面ファスナー１０における左右の連続壁部１３、主横壁部１４、及び補助横壁部１５の各上面が金型の面ファスナー取付面に密着しているため、発泡樹脂材料が連続壁部１３、主横壁部１４、及び補助横壁部１５を越えて第１及び第２係合素子１２ａ，１２ｂの形成領域内に侵入することを防止できる。【０１２８】
その後、発泡樹脂材料が発泡固化して成形が終了することにより、本実施例１のストレート状の成形面ファスナー１０が一体化されたクッション体を得ることができる。【０１２９】
このようにして得られた成形面ファスナー１０付きのクッション体は、係合領域２１における左右の連続壁部１３と前後の主横壁部１４に囲まれた領域内に配される第１及び第２係合素子１２ａ，１２ｂが、クッション体内に埋設されずに露呈するため、第１及び第２係合素子１２ａ，１２ｂにより得られる所定の係合力を安定して確保することができる。【０１３０】
従って、このクッション体の表面に表皮材を被せて、その表皮材をクッション体に一体化された成形面ファスナー１０に向けて押圧することにより、表皮材の裏面に配されたループ状の係合素子を、成形面ファスナー１０の第１及び第２係合素子１２ａ，１２ｂに安定して係合させることができる。これにより、表皮材をクッション体から浮き上がらせることなく、クッション体の表面に沿って正確に取り付けることができる。【０１３１】
一方、本実施例１において、例えばクッション体の用途や製品のデザイン等の点から、成形面ファスナーを幅方向に湾曲させた状態でクッション体に一体化させるような場合、図１に示したストレート状の成形面ファスナー１０を一次製品として用いて、当該成形面ファスナー１０に後述するような切断加工を行うことによって、幅方向に湾曲させるカーブ状の使用形態に対応可能な図７及び図８に示す成形面ファスナー３０（以下、カーブ対応の成形面ファスナー３０と称する）を得ることができる。【０１３２】
この図７及び図８に示したカーブ対応の成形面ファスナー３０は、長さ方向に沿って所定の間隔で配される複数の面ファスナー部材３１と、隣接する面ファスナー部材３１間を連結する可撓性を備えた連結部３２とを有する。【０１３３】
各面ファスナー部材３１は、前後端部に切断加工により形成される切断端部３３を備える薄板状の基板部１１と、基板部１１の上面に配される第１及び第２係合素子１２ａ，１２ｂ、左右の樹脂侵入防止壁部１３ａ、主横壁部１４、補助横壁部１５、及び凸条部１６とを有する。この場合、第１及び第２係合素子１２ａ，１２ｂ、左右の樹脂侵入防止壁部１３ａ、主横壁部１４、補助横壁部１５、及び凸条部１６では、上述したストレート状の成形面ファスナー１０に形成された各部位の形態がそのまま保持されている。【０１３４】
連結部３２は、スペース領域２２に配されていた凸条部１６と、その凸条部１６の裏面側に一体的に配される基板部１１の一部とにより構成されている。このように連結部３２が凸条部１６を含んで形成されていることにより、連結部３２が基板部１１のみにより形成されている場合に比べて、連結部３２の強度を増大させることができる。従って、例えばカーブ対応の成形面ファスナー３０が長さ方向に引っ張られたり、幅方向に大きく湾曲させたりしても、成形面ファスナー３０を連結部３２にて切断され難くすることができる。【０１３５】
また、各連結部３２は、当該連結部３２の前方側の面ファスナー部材３１に配される後方側の主横壁部１４と、その主横壁部１４より後方に延出して配される基板部１１の後端延出部３１ｂとに連結一体化されているとともに、当該連結部３２の後方側の面ファスナー部材３１に配される前方側の主横壁部１４と、その主横壁部１４より前方に延出して配される基板部１１の前端延出部３１ａとに連結一体化されている。この場合、各面ファスナー部材３１における前端延出部３１ａ及び後端延出部３１ｂは、ストレート状の成形面ファスナー１０に形成されるスペース領域２２の基板部１１により構成されている。【０１３６】
このように連結部３２（特に凸条部１６）が面ファスナー部材３１の主横壁部１４と前端及び後端延出部３１ａ，３１ｂとに一体的に連結されていることにより、成形面ファスナー３０の各面ファスナー部材３１が、連結部３２を挟んで隣接する面ファスナー部材３１に対してねじれ難くなり、成形面ファスナー３０の形態を安定させることができる。これにより、成形面ファスナー３０を金型の面ファスナー取付面に取り付ける作業が行い易くなり、作業の効率化を図ることができる。【０１３７】
なお、ここで言う「一体的に連結されている」とは、連結部３２の材料と、少なくとも主横壁部１４並びに前端及び後端延出部３１ａ，３１ｂの材料とが、同一の熱可塑性樹脂を用いて形成され、且つ、一緒に溶融し、一緒に冷却固化して形成されていることをいう。また、前述の通り、熱可塑性樹脂に磁性粒子を一部に混入させて形成した場合、混入状態によっては、磁性粒子の配合率が各部位によって異なる可能性もあるが、配合率が異なるだけで同一の熱可塑性樹脂を使用していることには変わりない。【０１３８】
上述のような構成を有するカーブ対応の成形面ファスナー３０は、一次製品となるストレート状の成形面ファスナー１０に対して、以下のような切断加工装置５０を用いて切断加工を行うことにより製造される。【０１３９】
この切断加工装置５０は、図９及び図１０に示すように、ストレート状の成形面ファスナー１０を供給するとともに間欠的に搬送することが可能な供給部５１と、供給部５１の下流側に配され、成形面ファスナー１０の位置（停止位置）を検知する位置検知部５２と、位置検知部５２の下流側に配され、位置が検知された成形面ファスナー１０に対して切断加工を行う切断加工部５３と、供給部５１、位置検知部５２及び切断加工部５３と電気的に接続して供給部５１、位置検知部５２及び切断加工部５３を制御する図示しない制御部とを有する。なお、本発明において、供給部５１、位置検知部５２、及び切断加工部５３の設置位置は任意に変更することができる。【０１４０】
供給部５１は、上下一対の供給ローラー５１ａを有しており、これらの供給ローラー５１ａの回転と停止を制御することにより、成形面ファスナー１０を下流側に向けて送ること、成形面ファスナー１０を停止させること、及び、成形面ファスナー１０を下流側に送り過ぎたときに上流側に戻すことが可能に構成されている。【０１４１】
位置検知部５２は、搬送される成形面ファスナー１０の上面側に配され、成形面ファスナー１０に対して接近方向及び離間方向に昇降可能な位置決め部材５２ａを有する。この位置決め部材５２ａは、ストレート状の成形面ファスナー１０の主横壁部１４間に設けられるスペース領域２２に挿入可能な形状を有する。【０１４２】
この位置検知部５２は、供給部５１により搬送される成形面ファスナー１０が所定の位置で停止したときに、当該成形面ファスナー１０の第１及び第２係合素子１２ａ，１２ｂを備えないスペース領域２２に位置決め部材５２ａを挿入することにより、成形面ファスナー１０の位置を検知することができる。【０１４３】
切断加工部５３は、図１０〜図１２に示したように、搬送される成形面ファスナー１０を載置するカッティングダイ５４と、カッティングダイ５４に対して昇降可能に配され、カッティングダイ５４に載置された成形面ファスナー１０の一部を切断するカッティングパンチ５５とを有する。【０１４４】
カッティングダイ５４は、成形面ファスナー１０を載置する載置面（上面）を有するとともに、カッティングダイ５４を摺動可能に収容可能な左右のダイ収容孔部５４ａが穿設されている。この場合、左右のダイ収容孔部５４ａ間には、成形面ファスナー１０のスペース領域２２に切断加工を行う際に当該スペース領域２２の凸条部１６の部分を基板部１１の裏面側から支持する細幅支持部５４ｂが配されている。【０１４５】
また、左右の各ダイ収容孔部５４ａは、上面側から見たときに、細幅支持部５４ｂ側に配され、搬送方向の寸法が一定の大きさに設定される内側領域と、内側領域から幅方向の外側に連続的に配され、搬送方向の寸法が外側に向けて漸増する中間領域と、中間領域から幅方向の外側に連続的に配され、搬送方向の寸法が一定の大きさに設定される外側領域とを有する。ダイ収容孔部５４ａの外側領域には、カッティングパンチ５５の後述する左右脚部５５ａが挿入され、ダイ収容孔部５４ａの中間領域及び内側領域には、カッティングパンチ５５の後述するパンチ本体部５５ｂが挿入される。【０１４６】
カッティングパンチ５５は、カッティングダイ５４のダイ収容孔部５４ａに挿入される柱状の左右脚部５５ａと、左右脚部５５ａの上端部間に連結されるパンチ本体部５５ｂとを有しており、パンチ本体部５５ｂの下端に先端刃部（下端刃部）５５ｃが形成されている。左右の脚部５５ａは、高さ方向に直交する断面が矩形状を呈する柱状の形態を有する。また、左右の脚部５５ａ間の間隔（言い換えると、パンチ本体部５５ｂの幅寸法）は、ストレート状の成形面ファスナー１０における基板部１１の幅寸法よりも大きな寸法に設定されている。【０１４７】
パンチ本体部５５ｂは、幅方向の中央部に配され、搬送方向の寸法が一定の大きさに設定される中央切断部５５ｄと、中央切断部５５ｄの左右両側に配され、搬送方向の寸法が外側に向けて漸増する左右の傾斜切断部５５ｅとを有する。また、中央切断部５５ｄにおける幅方向の中央部には、成形面ファスナー１０の切断加工時に同成形面ファスナー１０の凸条部１６を挿入可能な挿入溝部５５ｆが、パンチ本体部５５ｂの下端から上方に向けて形成されている。【０１４８】
また、パンチ本体部５５ｂの先端刃部５５ｃは、幅方向における中央部（挿入溝部５５ｆ側の部分）から左右脚部５５ａに向けて、カッティングダイ５４から漸次離れるように斜めに傾斜する形状に形成されている。【０１４９】
これにより、カッティングパンチ５５を後述するように成形面ファスナー１０に向けて下降させて成形面ファスナー１０の切断加工を行う際に、スペース部の凸条部１６をパンチ本体部５５ｂの挿入溝部５５ｆ内に挿入して成形面ファスナー１０とカッティングパンチ５５との位置を合わせながら、基板部１１における凸条部１６の根本部分に先端刃部５５ｃの鋭い尖端を突き刺さすことができ、更にカッティングパンチ５５を下降させることにより、成形面ファスナー１０の基板部１１を、先端刃部５５ｃの尖端を突き刺さした部分から外側に向けて、幅方向に対して斜めの方向にきれいに切断して、成形面ファスナー１０の所定部分を切去することができる。【０１５０】
なお、本発明において、パンチ本体部５５ｂの先端刃部５５ｃは、幅方向における中央部から左右脚部５５ａに向けて、カッティングダイ５４に漸次近づくように斜めに傾斜する形状に形成されていても良い。この場合、成形面ファスナー１０の切断加工を行う際に、成形面ファスナー１０の基板部１１を、当該基板部１１の左右側縁から内側に向けてきれいに切断することができる。【０１５１】
上述のような切断加工装置５０を用いて、ストレート状の成形面ファスナー１０に切断加工を行う場合、先ず、供給部５１の上下の供給ローラー５１ａを間欠的に回転させることにより、成形面ファスナー１０を下流側に向けて所定の長さで搬送することと、成形面ファスナー１０の搬送を停止させることとを交互に繰り返す。このとき、成形面ファスナー１０を下流側に搬送する長さは、当該成形面ファスナー１０に形成されるスペース領域２２間の間隔に対応している。【０１５２】
また、供給部５１で成形面ファスナー１０を間欠的に搬送するとともに、成形面ファスナー１０の搬送が停止するタイミングに合わせて、位置検知部５２の位置決め部材５２ａを所定の位置まで下降させて、同位置決め部材５２ａを成形面ファスナー１０の第１及び第２係合素子１２ａ，１２ｂを備えないスペース領域２２に挿入する。これにより、成形面ファスナー１０が停止していること、及び、その停止位置が搬送路上の所定の位置であることを検知することができる。【０１５３】
特に本実施例１では、成形面ファスナー１０のスペース領域２２は、剛性が高い主横壁部１４間に挟まれ、且つ、ある程度の長さ寸法をもって広く形成されているため、このスペース領域２２に位置検知部５２の位置決め部材５２ａを挿入することにより、例えば長さ方向に隣接する第１係合素子１２ａ間に小さな位置決め部材を挿入する場合に比べて、位置決め部材５２ａを的確に且つ安定して挿入して、成形面ファスナー１０の停止位置を精度良く検知できるとともに、係合領域２１に配される第１及び第２係合素子１２ａ，１２ｂに変形や破損が生じることを防止できる。【０１５４】
更に、このように位置決め部材５２ａの挿入が安定することにより、例えば係合素子１２間に小さな位置決め部材を挿入する場合に比べて、供給部５１により搬送される成形面ファスナー１０の搬送速度を速くして搬送と停止を繰り返しても、成形面ファスナー１０の位置を安定して検知することができる。このため、成形面ファスナー１０の切断加工を精確に且つ効率的に行うことが可能となる。【０１５５】
なお、位置検知部５２の位置決め部材５２ａを下降させて成形面ファスナー１０の停止位置を検知する際に、例えば成形面ファスナー１０の停止位置が搬送方向の前後にずれている場合には、位置決め部材５２ａが成形面ファスナー１０の主横壁部１４に当接（干渉）して、位置決め部材５２ａを所定の位置まで下降させることができない。【０１５６】
この場合、切断加工装置５０の図示しない制御部が、成形面ファスナー１０が所定の停止位置で停止していないと判断し、供給部５１に向けて、成形面ファスナー１０を搬送方向又はその反対方向に向けて僅かに移動させるように上下の供給ローラー５１ａを回転させる信号を出す。これにより、位置決め部材５２ａが成形面ファスナー１０に対して所定の位置まで下降するように成形面ファスナー１０の停止位置を調整することができる。【０１５７】
位置検知部５２にて成形面ファスナー１０が所定の位置に停止していることが検知された後、切断加工部５３のカッティングパンチ５５を下降させて成形面ファスナー１０に切断加工を行う。【０１５８】
このとき、カッティングパンチ５５の先端刃部５５ｃにより、成形面ファスナー１０のスペース領域２２における凸条部１６と、基板部１１の凸条部１６の裏面側に一体的に形成されている部分及び主横壁部１４から延びる部分（面ファスナー部材３１の前端及び後端延出部３１ａ，３１ｂに対応する部分）とが残るように、スペース領域２２の一部と係合領域２１の基板部１１の一部とを切去する切断加工を行う。【０１５９】
そして、切断加工部５３による切断加工を行った後、成形面ファスナー１０を下流側に所定の長さで搬送してから再度停止させ、更に、位置検知部５２にて上述した成形ファスナーの停止位置を検知するとともに、切断加工部５３にて成形ファスナーの切断加工を行う。このような動作を、ストレート状の成形面ファスナー１０の全体に対して繰り返して行うことにより、図７に示したカーブ対応の成形面ファスナー３０を簡単に安定して製造することができる。【０１６０】
上述のように、本実施例１では、ストレート状の成形面ファスナー１０を一次製品として利用して、カーブ対応の成形面ファスナー３０を製造することができる。これにより、ストレート状の成形面ファスナー１０と、カーブ対応の成形面ファスナー３０との間で、成形面ファスナーの成形装置４０を同一化できるため、従来のようにストレート状の成形面ファスナーと、カーブ対応の成形面ファスナーとを、それぞれ全く異なる製造装置や製造工程によって別々に製造する必要がなくなる。これにより、カーブ対応の成形面ファスナー３０の製造効率を向上させるとともに、カーブ対応の成形面ファスナー３０の製造コストを低減することができる。【０１６１】
更に、ストレート状の成形面ファスナー１０を利用してカーブ対応の成形面ファスナー３０を製造することにより、それぞれの成形面ファスナー１０の需要に対して迅速に対応し易くなるとともに、それぞれの成形面ファスナー１０，３０の在庫管理も行い易くなる。このため、更なる経済的な利益を得ることができる。【０１６２】
そして、上述のようにして製造されたカーブ対応の成形面ファスナー３０をクッション体に一体化する場合、例えばクッション体の用途や製品のデザイン等に応じて、成形面ファスナー３０を幅方向に湾曲させた状態でクッション体に一体化させることができる。【０１６３】
この場合、先ず、クッション体の発泡成形を行う金型の面ファスナー取付面（面ファスナー載置面）に、カーブ対応の成形面ファスナー３０を、幅方向及び／又は表裏方向に湾曲させた状態で載置する。【０１６４】
このとき、金型の面ファスナー取付面の位置に対応して、ネオジム磁石などの磁石が埋設されていることにより、前述したストレート状の成形面ファスナー１０の場合と同様に、成形面ファスナー３０が金型の面ファスナー取付面に吸着して固定されるとともに、セルフアライメント効果により金型に対する成形面ファスナー３０の位置及び向きが精度良く自動的に合わせられる。更にこの場合、成形面ファスナー３０における左右の連続壁部１３、主横壁部１４、及び補助横壁部１５の各上面が、金型の面ファスナー取付面に密着させた状態で保持される。【０１６５】
続いて、成形面ファスナー３０を所定位置に固定した金型内に、同金型に配される噴射ノズルから発泡樹脂材料を噴射して注入することにより、樹脂材料が発泡しながら金型のキャビティ空間全体に行き渡り、クッション体が成形される。このとき、成形面ファスナー３０の位置が、発泡樹脂材料の流動圧力や発泡圧力などによって動かされることはない。また、発泡樹脂材料が連続壁部１３、主横壁部１４、及び補助横壁部１５を越えて、第１及び第２係合素子１２ａ，１２ｂの形成領域内に侵入することを防止できる。【０１６６】
その後、発泡樹脂材料が発泡固化して成形が終了することにより、カーブ対応の成形面ファスナー３０が一体化されたクッション体を得ることができる。
このようにして得られたカーブ対応の成形面ファスナー３０付きのクッション体は、係合領域２１における左右の連続壁部１３と前後の主横壁部１４に囲まれる領域内の第１及び第２係合素子１２ａ，１２ｂが、クッション体内に埋設されずに露呈する。このため、第１及び第２係合素子１２ａ，１２ｂにより得られる所定の係合力を安定して確保することができる。【０１６７】
従って、このクッション体の表面に表皮材を被せて、その表皮材をクッション体に湾曲させた状態で一体化された成形面ファスナー３０に向けて押圧することにより、表皮材をクッション体から浮き上がらせることなく、クッション体の表面に沿って正確に取り付けることができる。【０１６８】
なお、本実施例１においては、図６の製造装置４０を用いてストレート状の成形面ファスナー１０を製造して回収した後、その回収したストレート状の成形面ファスナー１０に対して、製造装置４０とは別途に設けられた図９の切断加工装置５０を用いて切断加工を行うことによって、カーブ対応の成形面ファスナー３０を製造している。しかし、本発明では、図６に示した製造装置４０の後段に、図９に示した切断加工装置５０を連続するように設置して、ストレート状の成形面ファスナー１０を回収して保管することなく、カーブ対応の成形面ファスナー３０を直接製造することも可能である。【０１６９】
また、本実施例１においては、切断加工装置５０により、ストレート状の成形面ファスナー１０に設けられた各スペース領域２２に対して切断加工を行うことによって、カーブ対応の成形面ファスナー３０を製造している。しかし、本発明では、全てのスペース領域２２について切断加工を行わなくても良く、例えばスペース領域２２の２つに１つの割合で切断加工を行うこと等のように、一部のスペース領域２２に対して切断加工を行うことによって、カーブ対応の成形面ファスナーを製造しても良い。【０１７０】
更に、カーブ対応の成形面ファスナー３０の製造に関して、図９に示した切断加工装置５０においては、供給部５１で成形面ファスナー１０を間欠的に搬送しながら、停止した成形面ファスナー１０に対して、位置検知部５２で成形面ファスナー１０の停止位置が検知されるともに、切断加工部５３で切断加工が行われている。【０１７１】
しかし本発明では、例えば位置検知部５２及び切断加工部５３を、成形面ファスナー１０の搬送方向に沿って前後に移動可能にして、位置検知部５２が搬送中の成形面ファスナー１０の位置を移動しながら検知し、且つ、切断加工部５３が搬送中の成形面ファスナー１０に切断加工を行うことができるように切断加工装置を構成することも可能である。【０１７２】
このような切断加工装置を用いることにより、供給部５１で成形面ファスナー１０を停止させることなく連続的に搬送しながら、その搬送中の成形面ファスナー１０に対して、位置検知部５２にて成形面ファスナー１０の相対的な位置を検知するともに、切断加工部５３で切断加工を行うことができる。これにより、ストレート状の成形面ファスナー１０から、カーブ対応の成形面ファスナー３０をより効率的に製造することができ、製造コストを更に削減することが可能となる。【０１７３】
更に、本実施例１では、図９に示した位置検知部５２及び切断加工部５３の代わりに、図１３に示した位置検知部６２及び切断加工部６３を用いることも可能である。【０１７４】
この図１３に示した位置検知部６２は、搬送される成形面ファスナー１０の上面側に回転可能に配される位置決めローラー６２ｂと、位置決めローラー６２ｂの周面に所定の間隔を開けて配される複数の位置決め部材６２ａと、成形面ファスナー１０の下面側に配される支持ローラー６２ｃとを有する。【０１７５】
また、各位置決め部材６２ａは、ストレート状の成形面ファスナー１０の主横壁部１４間に設けられるスペース領域２２に挿入可能な形状を有する。この位置検知部６２は、位置決めローラー６２ｂを、成形面ファスナー１０の搬送速度に合わせて回転させるとともに、連続的に搬送される成形面ファスナー１０のスペース領域２２に位置決め部材６２ａを順番に挿入することにより、搬送される成形面ファスナー１０の位置を連続的に検知することができる。【０１７６】
図１３に示した切断加工部６３は、周面に刃部が設けられたロータリーダイ６３ａと、周面が平らに形成されたアンビルローラー６３ｂとを有する。この場合、ロータリーダイ６３ａに設けられる刃部は、カーブ対応の成形面ファスナー３０における面ファスナー部の切断端部３３の形状と連結部３２の形状に対応するように配されている。【０１７７】
この切断加工部６３では、位置検知部６２にて位置が検知されたストレート状の成形面ファスナー１０が、ロータリーダイ６３ａとアンビルローラー６３ｂとの間に連続的に供給されるとともに、ロータリーダイ６３ａが成形面ファスナー１０の搬送速度に合わせて回転することにより、ストレート状の成形面ファスナー１０に対して所定の部分を切去する切断加工を行うことができる。【０１７８】
このような位置検知部６２及び切断加工部６３を有する切断加工装置を用いてストレート状の成形面ファスナー１０に対して切断加工を行う場合、供給部５１の供給ローラー５１ａで成形面ファスナー１０を停止させることなく連続的に搬送しながら、位置決めローラー６２ｂとロータリーダイ６３ａ及びアンビルローラー６３ｂとを成形面ファスナー１０の搬送速度に合わせて回転させる。これによって、成形面ファスナー１０の位置を連続的に検知するとともに、当該成形面ファスナー１０に所定の切断加工を行うことができる。【０１７９】
なお、本実施例１においては、１本のストレート状の成形面ファスナー１０を成形し、その後、得られたストレート状の成形面ファスナー１０に対して所定の切断加工を行うことによって、１本のカーブ対応の成形面ファスナー３０を製造している。【０１８０】
しかし、本発明では、複数本（例えば４本）のストレート状の成形面ファスナー１０が幅方向に連結された状態の幅方向に広いシート状の一次製品（シート状の成型面ファスナー）を成形し、その後、得られたシート状の一次製品に所定の切断加工を行うことによって、カーブ対応の成形面ファスナー３０を複数本同時に製造することも可能である。【０１８１】
具体的に説明すると、一次製品となるシート状の成型面ファスナーは、周面に所定のキャビティ空間が形成されたダイホイールを有する製造装置（成形装置）により成形され、その成形されたシート状の成型面ファスナーは、ピックアップローラーによってダイホイールの周面から連続的に引き剥がされる。【０１８２】
また、引き剥がされたシート状の成型面ファスナーは、上下の供給ローラーを有する供給部により、位置検知部及び切断加工部に向けて搬送される。この場合、位置検知部は、例えば図１３に示した位置検知部６２と同様に構成されており、シート状の成形面ファスナーの上面側に配される位置決めローラーと、位置決めローラーの周面に配される複数の位置決め部材と、シート状の成形面ファスナーの下面側に配される支持ローラーとを有する。【０１８３】
また、切断加工部は、例えば図１４に示したような形状を備える刃部６４ａが周面に設けられたロータリーダイ６４と、周面が平らに形成されたアンビルローラーとを有する。【０１８４】
このような構成を有する位置検知部及び切断加工部に向けて、シート状の成型面ファスナーが連続的に搬送されることにより、位置検知部にてシート状の成形面ファスナーの位置を連続的に検知するとともに、切断加工部にて、シート状の成形面ファスナーに所定の切断加工を行って、４本の図７に示したカーブ対応の成形面ファスナー３０を同時に製造することができる。これにより、カーブ対応の成形面ファスナー３０を短時間で大量生産することが可能となる。
【実施例２】
【０１８５】
図１５は、本実施例２に係る成形面ファスナーを示す平面図であり、図１６は、図１５に示したＸＶＩ−ＸＶＩ線における断面図である。
なお、以下に示す本実施例２に係る成形面ファスナー７０、及び後述する実施例３に係る成形面ファスナー８０では、前述の実施例１に係る成形面ファスナー１０と異なる構成について主に説明することとし、前述の実施例１に係る成形面ファスナー１０と実質的に同じ構成を有する部分又は部材については同じ符号を用いて表すことによって、その説明を省略することとする。【０１８６】
本実施例２に係る成形面ファスナー７０では、前述の実施例１に係るストレート状の成形面ファスナー１０の構成に加えて、係合領域２１に整列して配される第１係合素子１２ａの横列の位置に、複数の予備分割壁体７１ａが幅方向に沿って配されることによって、当該横列の第１係合素子１２ａと予備分割壁体７１ａとにより構成される予備横壁部７１が設けられている。特に本実施例２では、係合領域２１内に幅方向に沿った６列の第１係合素子１２ａの横列のうち、中央部に配される３列目の横列と４列目の横列の位置に予備横壁部７１が設けられている。【０１８７】
なお、本発明において、予備横壁部７１の設置位置は特に限定されるものではなく、係合領域２１に形成される１列目〜６列目の横列のうちの任意の横列のみに予備横壁部７１を設けても良いし、係合領域２１に形成される１列目〜６列目の全ての横列に予備横壁部７１を設けても良い。【０１８８】
本実施例２に係る成形面ファスナー７０のように予備横壁部７１を設けることにより、例えばストレート状の成形面ファスナー７０を所望の長さにするために、成形面ファスナー７０を係合領域２１の部分で幅方向に沿って切断したときに、当該係合領域２１に配された予備横壁部７１を、クッション体の発泡成型時に発泡樹脂材料の侵入を防ぐ侵入防止壁部として用いることができる。【０１８９】
これにより、その切断された係合領域２１の全域に発泡樹脂材料が侵入することを防いで、当該係合領域２１の一部の第１係合素子１２ａをクッション体内に埋設することなく、露呈させることができる。このため、表皮材を有効に係合させることが可能な成形面ファスナー７０の係合面積を拡大でき、当該成形面ファスナー７０が一体化されたクッション体に、表皮材を安定して固定することができる。【０１９０】
また、本実施例２のストレート状の成形面ファスナー７０も、前述の実施例１に係る成形面ファスナー１０と同様に、一次製品として用いて前述の実施例１にて説明したような切断加工を行うことによって、幅方向に湾曲させることが可能なカーブ対応の成形面ファスナーを製造することができる。またこの場合、前述の実施例１で説明した効果も同様に得ることができる。【０１９１】
また、本実施例２のストレート状の成形面ファスナー７０から製造されるカーブ対応の成形面ファスナーにおいても、ストレート状の成形面ファスナー７０の場合と同様に、各面ファスナー部材３１に配された予備横壁部７１を、クッション体の発泡成型時に発泡樹脂材料の侵入を防ぐ侵入防止壁部として用いることができる。
【実施例３】
【０１９２】
図１７は、本実施例３に係る成形面ファスナーの側面図である。
本実施例３に係るストレート状の成形面ファスナー８０では、スペース領域２２に配される縦壁部８３ｂの基板部１１からの高さ寸法を、前述の実施例１に係るストレート状の成形面ファスナー１０に比べて低くして構成されており、それ以外については前述の実施例１に係るストレート状の成形面ファスナー１０と同様の構成を備えている。【０１９３】
すなわち、本実施例３のスペース領域２２に配される縦壁部８３ｂは、係合領域２１に配される樹脂侵入防止壁部１３ａよりも基板部１１からの高さ寸法を低くして設けられている。このように高さが低い縦壁部８３ｂと凸条部１６とがスペース領域２２に配されていることにより、ダイホイールを有する成形装置を用いて本実施例３に係るストレート状の成形面ファスナー８０を成形する場合に、スペース領域２２の部分をダイホイール４１から引き剥がすときの剥離抵抗を増大させて、成形面ファスナー８０を剥離する力が成形面ファスナー８０の長さ方向で不均一になることを抑制できる。それにより、スペース領域２２の近傍に配置される係合素子１２が、成形面ファスナー８０をダイホイールから引き剥がすときに大きな力を受け難くなり、所定の形状を有する係合素子１２を安定して形成することができる。【０１９４】
また、スペース領域２２に配される縦壁部８３ｂの高さ寸法が、係合領域２１に配される樹脂侵入防止壁部１３ａの高さ寸法よりも小さく設定された本実施例３の成形面ファスナー８０によれば、当該成形面ファスナー８０を金型に吸着固定してクッション体の発泡成形を行うときに、前述の実施例１の場合と同様に、発泡樹脂材料が連続壁部１３、主横壁部１４、及び補助横壁部１５を越えて第１及び第２係合素子１２ａ，１２ｂの形成領域内に侵入することを防止して、第１及び第２係合素子１２ａ，１２ｂにより得られる所定の係合力を安定して確保することができる。【０１９５】
その一方で、発泡成形時に発泡樹脂材料がスペース領域２２内に侵入することを許容し、図１８に示したように、スペース領域２２に配される左右の縦壁部８３ｂと、左右の縦壁部８３ｂ間に配される基板部１１及び凸条部１６とをクッション体８１内に埋設することができる。これにより、成形面ファスナー８０とクッション体８１との接触面積を更に大きくして、クッション体８１に対する成形面ファスナー８０の固着強度をより高めることができる。【０１９６】
そして、本実施例３のストレート状の成形面ファスナー８０も、前述の実施例１に係る成形面ファスナー１０と同様に、一次製品として用いて前述の実施例１にて説明したような切断加工を行うことによって、幅方向に湾曲させることが可能なカーブ対応の成形面ファスナーを製造することができる。またこの場合、前述の実施例１で説明した効果も同様に得ることができる。
【符号の説明】
【０１９７】
１０                成形面ファスナー
１１                基板部
１１ａ              凹溝部
１２                係合素子
１２ａ              第１係合素子
１２ｂ              第２係合素子
１３                連続壁部
１３ａ              樹脂侵入防止壁部
１３ｂ              縦壁部
１４                主横壁部
１４ａ              連続横壁体
１５                補助横壁部
１５ａ              分割横壁体
１６                凸条部
１７ａ              第１連続縦壁部（第１連続縦壁列）
１７ｂ              第２連続縦壁部（第２連続縦壁列）
１８                縦壁体
１９                壁連結部
２１                係合領域
２２                スペース領域
３０                成形面ファスナー
３１                面ファスナー部材
３１ａ              前端延出部
３１ｂ              後端延出部
３２                連結部
３３                切断端部
４０                製造装置（成形装置）
４１                ダイホイール
４２                連続押出ノズル
４３                ピックアップローラー
５０                切断加工装置
５１                供給部
５１ａ              供給ローラー
５２                位置検知部
５２ａ              位置決め部材
５３                切断加工部
５４                カッティングダイ
５４ａ              ダイ収容孔部
５４ｂ              細幅支持部
５５                カッティングパンチ
５５ａ              脚部
５５ｂ              パンチ本体部
５５ｃ              先端刃部（下端刃部）
５５ｄ              中央切断部
５５ｅ              傾斜切断部
５５ｆ              挿入溝部
６２                位置検知部
６２ａ              位置決め部材
６２ｂ              位置決めローラー
６２ｃ              支持ローラー
６３                切断加工部
６３ａ              ロータリーダイ
６３ｂ              アンビルローラー
６４                ロータリーダイ
６４ａ              刃部
７０                成形面ファスナー
７１                予備横壁部
７１ａ              予備分割壁体
８０                成形面ファスナー
８１                クッション体
８３ｂ              縦壁部
【図１】
2016002044.tif 000003
【図２】
2016002044.tif 000004
【図３】
2016002044.tif 000005
【図４】
2016002044.tif 000006
【図５】
2016002044.tif 000007
【図６】
2016002044.tif 000008
【図７】
2016002044.tif 000009
【図８】
2016002044.tif 000010
【図９】
2016002044.tif 000011
【図１０】
2016002044.tif 000012
【図１１】
2016002044.tif 000013
【図１２】
2016002044.tif 000014
【図１３】
2016002044.tif 000015
【図１４】
2016002044.tif 000016
【図１５】
2016002044.tif 000017
【図１６】
2016002044.tif 000018
【図１７】
2016002044.tif 000019
【図１８】
2016002044.tif 000020
【国際調査報告】
2016002044.tif 000021
2016002044.tif 000022
2016002044.tif 000023
2016002044.tif 000024